【手続補正書】
【提出日】平成27年5月11日(2015.5.11)
【手続補正１】
【補正対象書類名】明細書
【補正対象項目名】０１３８
【補正方法】変更
【補正の内容】
【０１３８】
本明細書に示される式のそれぞれは、（１）他の可変のラジカル、置換基または数係数のすべてが一定に保持されながら、可変のラジカル、置換基または数係数の１つについて所定の範囲内からの選択、および（２）その他が一定に保持される状態で他の可変のラジカル、置換基または数係数のそれぞれについて所定の範囲内からの同じ選択を順繰りに行うことによって当該式に集めることができる別個の、個々の化合物またはモノマーのそれぞれおよびすべてを示す。その範囲によって表示される群のメンバーのたった一つの可変のラジカル、置換基または数係数のいずれかについて所定の範囲内で行われる選択に加えて、複数の化合物またはモノマーは、ラジカル、置換基または数係数の全群のメンバーの２つ以上、しかしすべて未満を選択することによって選択することによって表示され得る。可変のラジカル、置換基または数係数のいずれかについて所定の範囲内で行われる選択が、（ｉ）その範囲によって表示される全群のメンバーのたった一つ、または（ｉｉ）全群のメンバーの２つ以上、しかしすべて未満を含有するサブグループであるときに、選択されるメンバーは、サブグループを形成するために選択されない全群のそれらのメンバーを除外することによって選択される。化合物、モノマー、または複数の化合物もしくはモノマーは、当該変数についての所定の範囲の全群を意味する可変のラジカル、置換基または数係数の１つ以上の定義によってそのような事象では特徴付けられてもよいが、その場合にはサブグループを形成するために除外されたメンバーは全群には不在である。
本明細書では、特に明確に述べられないかまたは用法の前後関係によってそれとは反対が示されない限り、本明細書の主題の実施形態がある種の特徴または要素を含む、包含する、含有する、有する、それらからなるまたはそれらによってもしくはそれらから構成されると記述されるまたは記載される場合、１つ以上の特徴または要素が、それらの明確に記述されたかまたは記載されたものに加えて実施形態に存在してもよい。しかし、本明細書の主題の代わりの実施形態は、ある種の特徴または要素から本質的になると記述されてもまたは記載されてもよく、その実施形態では、実施形態の操作の原則または特徴的な特性を実質的に変えるであろう特徴または要素はその中に存在しない。本明細書の主題のさらなる代わりの実施形態は、ある種の特徴または要素からなると記述されても記載されてもよく、その実施形態では、またはそれの非実質的な変形では、具体的に記述されたかまたは記載された特徴または要素のみが存在する。
【手続補正２】
【補正対象書類名】明細書
【補正対象項目名】０１３９
【補正方法】変更
【補正の内容】
【０１３９】
以上、本発明を要約すると下記のとおりである。
１．微粒子充填材との混合でフルオロポリマーを含む物質の組成物であって、充填材粒子が、
（ａ）不規則形状、ならびに
（ｂ）動的光散乱によって決定して体積ｄ５０値が約５０ｎｍ〜約５００ｎｍの範囲にある粒度分布、および／または静的光散乱によって決定して体積ｄ５０値が約８０ｎｍ〜約１５００ｎｍの範囲にある粒度分布
を特徴とする、上記組成物。
２．充填材粒子が、動的光散乱によって決定して体積ｄ９０値が最大でも約１０００ｎｍである粒度分布を特徴とする、上記１に記載の組成物。
３．充填材粒子が、ＢＥＴ法によって測定して８０ｎｍ以下の平均有効粒径を有する上記１に記載の組成物。
４．動的光散乱または静的光散乱によって決定される前記ｄ５０値が、ＢＥＴ法によって測定される前記平均粒径よりも少なくとも２．５倍大きい上記１に記載の組成物。
５．動的光散乱によって決定して、充填材粒子の前記粒度分布が、２２０ｎｍ以下のｄ５０値、およびＢＥＴ法によって測定して８０ｎｍ以下の平均有効粒径を有する上記４に記載の組成物。
６．フルオロポリマーがＰＴＦＥを含む上記１に記載の組成物。
７．フルオロポリマーが、ＰＴＦＥとＰＴＦＥ微粉末とのブレンドを含む上記１に記載の組成物。
８．フルオロポリマーが、熱可塑性の、溶融加工可能なおよび／または溶融成形加工可能なフルオロポリマーを含む上記１に記載の組成物。
９．フルオロポリマーが、ＴＦＥとＴＦＥ以外のフッ素化オレフィンおよびフッ素化不飽和エーテルの１つまたは両方とのコポリマーを含む上記１に記載の組成物。
１０．フルオロポリマーが、エラストマーフルオロポリマーとＰＴＦＥ微粉末とのブレンドを含む上記１に記載の組成物。
１１．微粒子充填材が酸化アルミニウムを含む上記１に記載の組成物。
１２．微粒子充填材が、酸化アルミニウムと二酸化ケイ素との混合物を含む上記１に記載の組成物。
１３．微粒子充填材が、ルチル型二酸化チタンを含む上記１に記載の組成物。
１４．存在する微粒子充填材の量が、組成物の約０．１〜３０質量％の範囲である、上記１に記載の組成物。
１５．上記１に記載の組成物を含む物品であって、３５ｎｍの標準偏差の約Ｒ（ｒｍｓ）＝１６１ｎｍの値を特徴とする表面粗さを有するタイプ３０４ステンレス鋼対向面を使用する摩擦計で、かつ上記物品を６．２５ＭＰａの荷重下および５０．８ｍｍ／秒の速度の往復運動で測定して、約１×１０−６ｍｍ３／Ｎ−ｍ未満の摩耗率、および約０．３未満の摩擦係数を特徴とする、上記物品。
１６．フィルムが上に配置された基材を含む物品であって、フィルムが上記１に記載の組成物を含む物品。
１７．基材が透明である上記１６に記載の物品。
１８．フィルムが上に配置された基材の製造方法であって、上記１に記載の組成物から器具を形成する工程と、器具を反復運動で基材と接触させてフィルムを上に堆積させる工程とを含む、上記方法。
１９．上記１８に記載の方法によって製造された基材を含む物品。
２０．（ａ）溶融加工可能なフルオロポリマーと微粒子充填材とを含む前駆体を溶融配合する工程の、充填材粒子が、
（ｉ）不規則形状、ならびに
（ｉｉ）動的光散乱によって決定して体積ｄ５０値が約５０ｎｍ〜約５００ｎｍの範囲にある粒度分布、および／または静的光散乱によって決定して体積ｄ５０値が約８０ｎｍ〜約１５００ｎｍの範囲にある粒度分布、
を特徴とする、該工程と、
（ｂ）前駆体を溶融加工してフルオロポリマー複合体を製造する工程と
を含む、フルオロポリマー複合体の製造方法。
【手続補正３】
【補正対象書類名】特許請求の範囲
【補正対象項目名】全文
【補正方法】変更
【補正の内容】
【特許請求の範囲】
【請求項１】
微粒子充填材との混合でフルオロポリマーを含む物質の組成物であって、充填材粒子が、
（ａ）不規則形状、ならびに
（ｂ）動的光散乱によって決定して体積ｄ50値が約５０ｎｍ〜約５００ｎｍの範囲にある粒度分布、および／または静的光散乱によって決定して体積ｄ50値が約８０ｎｍ〜約１５００ｎｍの範囲にある粒度分布
を特徴とする、上記組成物。
【請求項２】
請求項１に記載の組成物を含む物品であって、３５ｎｍの標準偏差の約Ｒ（ｒｍｓ）＝１６１ｎｍの値を特徴とする表面粗さを有するタイプ３０４ステンレス鋼対向面を使用する摩擦計で、かつ上記物品を６.２５ＭＰａの荷重下および５０.８ｍｍ／秒の速度の往復運動で測定して、約１×１０-6ｍｍ3／Ｎ−ｍ未満の摩耗率、および約０.３未満の摩擦係数を特徴とする、上記物品。
【請求項３】
フィルムが上に配置された基材を含む物品であって、フィルムが請求項１に記載の組成物を含む物品。
【請求項４】
フィルムが上に配置された基材の製造方法であって、請求項１に記載の組成物から器具を形成する工程と、器具を反復運動で基材と接触させてフィルムを上に堆積させる工程とを含む、上記方法。
【請求項５】
請求項４に記載の方法によって製造された基材を含む物品。
【請求項６】
（ａ）溶融加工可能なフルオロポリマーと微粒子充填材とを含む前駆体を溶融配合する工程の、充填材粒子が、
（ｉ）不規則形状、ならびに
（ii）動的光散乱によって決定して体積ｄ50値が約５０ｎｍ〜約５００ｎｍの範囲にある粒度分布、および／または静的光散乱によって決定して体積ｄ50値が約８０ｎｍ〜約１５００ｎｍの範囲にある粒度分布、
を特徴とする、該工程と、
（ｂ）前駆体を溶融加工してフルオロポリマー複合体を製造する工程と
を含む、フルオロポリマー複合体の製造方法。